(57)【要約】【課題】外装体を上部外装部と下部外装部とに分割したときに、上部外装部がずれ動き難いようにしたマットレス装置を提供することにある。【解決手段】スプリングユニット１と、スプリングユニットを被覆した内袋３と、下部外装部８と上部外装部９とに分割され下部外装部の端縁と上部外装部の端縁とがスライドファスナ８ｃ，９ａによって着脱可能に連結されるようになっていて、内部に内袋に被覆されたスプリングユニットが収容される外装体７と、外装体の上部外装部と下部外装部のうちの、少なくとも上部外装部が内袋に対してずれ動くのを防止する面状ファスナ５ａ，５ｂ，１１ａ，１１ｂを具備する。【選択図】図１
2013233301.tif 000002
【特許請求の範囲】
【請求項１】
スプリングユニットと、
このスプリングユニットを被覆した内袋と、
下部外装部と上部外装部とに分割され上記下部外装部の端縁と上記上部外装部の端縁とがスライドファスナによって着脱可能に連結されるようになっていて、内部に上記内袋に被覆された上記スプリングユニットが収容される外装体と、
この外装体の上記上部外装部と上記下部外装部のうちの、少なくとも上記上部外装部が上記内袋に対してずれ動くのを防止する滑り止め部材と
を具備したことを特徴とするマットレス装置。
【請求項２】
上記滑り止め部材は、上記内袋の外面と、この外面に対向する上記外装体の内面とに設けられて係着する面状ファスナであることを特徴とする請求項１記載のマットレス装置。
【請求項３】
上記滑り止め部材は、摩擦係数の高い材料によって形成され、上記内袋の外面と、この外面に対向する上記外装体の内面との少なくとも一方に設けられていることを特徴とする請求項１記載のマットレス装置。
【請求項４】
上記滑り止め部材は、上記内袋の外面と上記外装体の内面との、上記スプリングユニットの長手方向の一端側と他端側に対応する部位に、上記スプリングユニットの長手方向の一端側と他端側とで形状或いは色彩のいずれか一方を違えて設けられていることを特徴とする請求項１記載のマットレス装置。
【請求項５】
上記上部外装部は、上記スプリングユニットの上面を被覆する第１の鏡地であって、上記下部外装部は、上記スプリングユニットの下面を被覆する第２の鏡地、及び高さ方向の一端が上記第１の鏡地の周縁部に連結され他端に上記第２の鏡地の周縁部がスライドファスナによって着脱可能に連結され上記スプリングユニットの外周面を被覆するまち地によって形成されていることを特徴とする請求項１記載のマットレス装置。
【発明の詳細な説明】
【技術分野】
【０００１】
この発明はスプリングユニットが外装体によって被覆されるマットレス装置に関する。
【背景技術】
【０００２】
一般に、マットレス装置は多数のコイルスプリングを行列状に並設し、隣り合うコイルスプリングの上端面及び下端面をそれぞれヘリカル線によって連結してスプリングユニットが形成される。そして、このコイルスプリングを外装体によって被覆して上記マットレス装置が構成される。
【０００３】
従来、上記コイルスプリングと外装体は、たとえばフランジ布やクリップなどによって連結し、使用中に上記外装体が上記スプリングユニット対してずれ動くのを防止するようにしていた。
【０００４】
しかしながら、外装体をスプリングユニットに対して連結すると、スプリングユニットから外装体を容易に取り外すことができなくなるということがある。そのため、使用に伴い上記外装体が汚れて洗濯したい場合や、上記外装体が湿気を帯びたので日光に当てて干したい場合など、上記外装体をスプリングユニットから取り外して洗濯したり、日干するということができないということがあった。
【０００５】
さらに、長期間使用したマットレス装置を廃棄する場合、金属部分であるスプリングユニットと、布地部分である外装体とを分別しなければならない。しかしながら、上記スプリングユニットと外装体とが連結されていると、上記スプリングユニットと外装体との分別作業が容易でないということもあった。
【０００６】
そこで、上記外装体をたとえばスプリングユニットの上面側を覆う部分と、下面側を覆う部分との２つの部分に分けておき、これら２つの部分をスライドファスナによって分解可能に連結する。
【０００７】
それによって、上記外装体が汚れて洗濯したり、湿気を帯びて日干しするときなどには、上記スライドファスナを外して上記外装体を分解し、この外装体を上記スプリングユニットから取り外すことができるようにするということが行なわれている。
【先行技術文献】
【特許文献】
【０００８】
【特許文献１】特開２００２−４０１号公報
【発明の概要】
【発明が解決しようとする課題】
【０００９】
しかしながら、外装体を２つの部分に分割してスライドファスナによって分解可能とし、上記スライドファスナを外したときにスプリングユニットから取り外すことができる構成とすると、上記外装体を上記スプリングユニに対して連結布やクリップなどで連結するということができない。
【００１０】
そのため、マットレス装置に仰臥した利用者が寝返りを打つなどしたときに発生する外力が上記外装体に加わるということが繰り返されると、上記外装体の、とくにスプリングユニットの上面側を被覆した部分が上記スプリングユニットに対して大きくずれ動くということがある。その結果、上記外装体の上面に大きな皺が寄り、利用者に不快感を与えたり、寝心地が低下するということがある。
【００１１】
この発明は、外装体を２つの部分に分割してスライドファスナによって分解可能に連結することで、上記スプリングユニットから取り外すことができるようにした場合に、使用中に上記外装体がスプリングユニットに対してずれ動き難いようにしたマットレス装置を提供することにある。
【課題を解決するための手段】
【００１２】
この発明は、スプリングユニットと、
このスプリングユニットを被覆した内袋と、
下部外装部と上部外装部とに分割され上記下部外装部の端縁と上記上部外装部の端縁とがスライドファスナによって着脱可能に連結されるようになっていて、内部に上記内袋に被覆された上記スプリングユニットが収容される外装体と、
この外装体の上記上部外装部と上記下部外装部のうちの、少なくとも上記上部外装部が上記内袋に対してずれ動くのを防止する滑り止め部材と
を具備したことを特徴とするマットレス装置にある。
【００１３】
上記滑り止め部材は、上記内袋の外面と、この外面に対向する上記外装体の内面とに設けられて係着する面状ファスナであることが好ましい。
【００１４】
上記滑り止め部材は、摩擦係数の高い材料によって形成され、上記内袋の外面と、この外面に対向する上記外装体の内面との少なくとも一方に設けられていることが好ましい。
【００１５】
上記滑り止め部材は、上記内袋の外面と上記外装体の内面との、上記スプリングユニットの長手方向の一端側と他端側に対応する部位に、上記スプリングユニットの長手方向の一端側と他端側とで形状或いは色彩のいずれか一方を違えて設けられていることが好ましい。
【００１６】
上記上部外装部は、上記スプリングユニットの上面を被覆する第１の鏡地であって、上記下部外装部は、上記スプリングユニットの下面を被覆する第２の鏡地、及び高さ方向の一端が上記第１の鏡地の周縁部に連結され他端に上記第２の鏡地の周縁部がスライドファスナによって着脱可能に連結され上記スプリングユニットの外周面を被覆するまち地によって形成されていることが好ましい。
【発明の効果】
【００１７】
この発明によれば、外装体を下部外装部と上部外装部とに分割するとともに、上記上部外装部が上記内袋に対してずれ動くのを滑り止め部材によって防止するようにしたから、外装体をスプリングユニットから取り外すことができる構成であっても、使用中に上記外装体がスプリングユニットに対してずれ動くのを防止することができる。
【図面の簡単な説明】
【００１８】
【図１】この発明の一実施の形態を示すマットレス装置の分解斜視図。
【図２】マットレス装置の平面図。
【図３】スプリングユニットを被覆した袋体の一部を断面したマットレス装置の正面図。
【発明を実施するための形態】
【００１９】
以下、この発明の一実施の形態を図面を参照しながら説明する。  
図１はマットレス装置の分解斜視図、図２は平面図、図３は正面図である。上記マットレス装置スプリングユニット１を有する。このスプリングユニット１は図３に示すように多数のコイルスプリング２を行列状に並設し、隣り合うコイルスプリング２の上端面と下端面をそれぞれ図示しないヘリカル線によって連結して平面形状が矩形状に構成されている。
【００２０】
上記スプリングユニット１は比較的強度の高い布地、たとえばキャンバスなどによって形成された内袋３に収容されている。この内袋３の外面である上面の周縁部には玉縁４が設けられていて、上面の四隅部のうち、長手方向の一端側の２つの隅部には滑り止め部材としての四角形状をなした黒色の第１の面状ファスナ５ａが接着或いは縫着によって設けられ、他端側の２つの隅部には同じく滑り止め部材としての四角形状をなした白色の第１の面状ファスナ５ｂが接着或いは逢着によって設けられている。
【００２１】
上記内袋３に収容された上記スプリングユニット１は袋状をなした外装体７内に着脱可能に収容される。上記外装体７は着脱可能に連結される２つの部分に分割されている。つまり、上記外装体７は下部外装部８と上部外装部９とに分割されている。
【００２２】
上記下部外装部８は上記スプリングユニット１の下面を被覆する下鏡地８ａと、この下鏡地８ａの周縁部に下端を逢着し、上記スプリングユニット１の外周面を被覆するまち地８ｂによって上面が開口した箱形状に形成されている。
【００２３】
上記上部外装部９は上記スプリングユニット１の上面を被覆するようになっている。つまり、上記スプリングユニット１の上面を被覆する上鏡地が上記上部外装部９となっている。
【００２４】
上記まち地８ｂの上端には全周にわたって第１のスライドファスナ８ｃが設けられ、上記上部外装部９の周縁には上記第１のスライドファスナ８ｃと着脱可能に係着する第２のスライドファスナ９ａが全周にわたって設けられている。
【００２５】
したがって、上記下部外装部８内に上記スプリングユニット１を収容し、その上面に上記上部外装部９を配置し、上記第１のスライドファスナ８ｃと上記第２のスライドファスナ９ａの始端を図示しないスライダで係着し、このスライダをスライドさせれば、これらファスナ８ｃ，９ａによって上記下部外装部８に上部外装部９を連結させることができるとともに、上記スプリングユニット１が上記下部外装部８と上部外装部９からなる外装体７によって被覆収容されるようになっている。
【００２６】
上記上部外装部９の内面である下面の長手方向一端側の２つの隅部には、上記スプリングユニット１の袋体３の上面に設けられた黒色の上記第１の面状ファスナ５ａと対応する位置に、同じく滑り止め部材としての黒色の第２の面状ファスナ１１ａが接着或いは縫着によって設けられ、他端側の２つの隅部には同じく滑り止め部材としての四角形状をなした白色の第２の面状ファスナ１１ｂが接着或いは逢着によって設けられている。
【００２７】
上記外装体７の上部外装部９を、上記スプリングユニット１を被覆した上記内袋３の上面に載置すると、上記第１の面状ファスナ５ａ，５ｂと上記第２の面状ファスナ１１ａ，１１ｂがそれぞれ係着する。
【００２８】
したがって、上記下部外装部８の上記第１のスライドファスナ８ｃに上記上部外装部９の上記第２のスライドファスナ９ａを係着させれば、上記上部外装部９が上記内袋３の上面に、上記各面状ファスナ５ａ，５ｂ、１１ａ，１１ｂによって着脱可能に係着した状態で、上記内袋３に被覆された上記スプリングユニット１が上記外装体７に収容されることになる。
【００２９】
上記上部外装部９の上面の長手方向一端部、たとえば白色の上記第２の面状ファスナ１１ｂが設けられた一端部の上面には、メーカの製品ラベル(図示せず)が設けられる。マットレス装置において、通常、利用者は製品ラベルが設けられた一端部を足部側とし、他端部を頭部側として利用する。
【００３０】
また、上記下部外装部８の上記第１のスライドファスナ８ｃと、上記上部外装部９の上記第２のスライドファスナ９ａとに図示しないスライダによって連結される始端部は、上記下部外装部８と上記上部外装部９との位置関係を同じにしたときに一致するようになっている。
【００３１】
したがって、上記上部外装部９の黒色の第２の面状ファスナ１１ａを、上記内袋３の外面に設けられた黒色の上記第１の面状ファスナ５ａに、又は白色の上記第２の面状ファスナ１１ｂを、上記内袋３の外面に設けられた白色の上記第１の面状ファスナ５ｂに対応させて上記上部外装部９を上記内袋３上に載置すれば、上記上部外装部９を上記下部外装部８に対して常に同じ位置関係とすることができる。
【００３２】
それによって、上記下部外装部８の上記第１のスライドファスナ８ｃと、上記上部外装部９の上記第２のスライドファスナ９ａとの図示しないスライダによって連結される始端部が一致するよう、上記下部外装部８に対して上記上部外装部９を確実に位置決めすることができる。
【００３３】
このような構成のマットレス装置によれば、スプリングユニット１を収容した外装体７を下部外装部８と上部外装部９とに分割し、これらを第１のスライドファスナ８ｃと第２のスライドファスナ９ａとによって着脱可能に連結するようにした。
【００３４】
そのため、上記上部外装体９を上記下部外装部８から容易に取り外すことができるから、上記上部外装部９が汚れて洗濯するときや日干しするようなとき、上記上部外装部９を上記下部外装部８から容易に取り外すことができる。
【００３５】
上記上部外装部９を取り外した後、上記内袋３によって被覆されたスプリングユニット１を、上記下部外装部７から容易に取り出すことができるから、上記下部外装部７の洗濯や日干しも容易に行なうことができる。
【００３６】
上記スプリングユニット１が収容された内袋３の上面の長手方向一端部と他端部には第１の面状ファスナ５ａ，５ｂが設けられ、上記外装体７の上部外装部９の内面の長手方向一端部と他端部には上記第１の面状ファスナ５ａ，５ｂに係着する第２の面状ファスナ１１ａ，１１ｂが対応して設けられている。
【００３７】
そのため、上記上部外装部９を上記下部外装部８に第１、第２のスライドファスナ８ａ，９ａを連結して取り付けると、上記第１の面状ファスナ５ａ，５ｂに上記第２の面状ファスナ１１ａ，１１ｂが係着する。
【００３８】
それによって、上記上部外装部９が上記スプリングユニット１を被覆した内袋３上でずれ動いて、大きく皺が寄るのを防止することができるから、利用者に不快感を与えたり、寝心地が低下するのを防止することができる。
【００３９】
上記内袋３の上面の長手方向一端側には黒色の第１の面状ファスナ５ａを設け、他端側には白色の第１の面状ファスナ５ｂを設けるようにした。また、上記上部外装部９の内面の長手方向一端側には黒色の第２の面状ファスナ１１ａを設け、他端側には白色の第２の面状ファスナ１１ｂ設けるようにした。
【００４０】
そのため、内袋３の第１の面状ファスナ５ａ，５ｂと、上部外装部９の第２の面状ファスナ１１ａ，１１ｂとの黒と白の色彩が一致するよう、上記上部外装部９を上記スプリングユニット１を被覆した内袋３上に載置して各面状ファスナ５ａ，５ｂ及び１１ａ，１１ｂを係着させるようにすれば、上記上部外装部９を上記下部外装部８に対して常に同じ向きにすることができる。
【００４１】
つまり、スプリングユニット１を収容した下部外装部８の長手方向の向きに対し、上記上部外装部９の長手方向の向きを同じになるよう上記上部外装部９を確実に位置決めすることができる。
【００４２】
そのため、たとえば上記第１、第２のスライドファスナ８ｃ，９ａをスライダによって連結する際、下部外装部８に設けられた第１のスライドファスナ８ｃの始端と、上部外装部９に設けられた第２のスライドファスナ９ａの始端との位置が同じになるよう位置決めできるから、上記スライダによる上記第１、第２のスライドファスナ８ｃ，９ａの連結作業を容易かつ迅速に行なうことが可能となる。
【００４３】
上記一実施の形態では、内袋と上部外装部との長手方向一端部と他端部に設けられる滑り止め部材として面状ファスナを設ける場合を例に挙げて説明したが、滑り止め部材としては面状ファスナに限られず、摩擦抵抗が大きな材料、たとえばゴム加工された生地やシート状の塩ビ材などであってもよく、要は内袋に対して上部外装部がずれ動くのを制限できる材料であればよい。
【００４４】
また、滑り止め部材はスプリングユニットを被覆した内袋の上下両面と、外装体の上部外装部と下部外装部の両方の内面に設けるようにしてもよい。そのようにすれば、上記外装体が上記スプリングユニットに対してずれ動くのを、より一層、確実に防止することが可能となる。
【００４５】
また、滑り止め部材としては、内袋の上面に面状ファスナなど、他の部材を設けるようにしたが、それに代わり、内袋を上部外装部がずれ動くのを制限できる、摩擦抵抗が比較的大きな布地で形成するようにしてもよい。
【００４６】
内袋に被覆されたスプリングユニットが収容された下部外装体と上部外装部との長手方向の位置関係を一致させるため、長手方向一端側と他端側に設けられる面状ファスナの色彩を変えるようにしたが、色彩ではなく、形状を変えるようにしてもよい。
【００４７】
上記滑り止め部材は上記内袋と上部外装部との長手方向の一端側と他端側に設けたが、長手方向の中途部など、他の部位に設けるようにしてもよい。
【００４８】
上記外装体は、下部外装部を下鏡地とまち地で形成し、上部外装部を上鏡地だけによって形成したが、上記まち地を高さ方向中途部で分割し、下端側を下鏡地に連結して上部外装部とし、上端側を上鏡地に連結して上部外装部としてもよい。
【００４９】
その場合、第１のスライドファスナを下鏡地に連結された下端側のまち地の上端に設け、第２のスライドファスナを上鏡地に連結された上端側のまち地の下端に設けるようにすればよい。
【符号の説明】
【００５０】
１…スプリングユニット、３…内袋、７…床板体、５ａ，５ｂ…第１の面状ファスナ(滑り止め部材)、７…外装体、８…下部外装部、８ａ…下鏡地、８ｂ…まち地、８ｃ…第１のフライドファスナ、９…上部外装部、９ａ…第２のスライドファスナ、１１ａ，１１ｂ…第２の面状ファスナ(滑り止め部材)、２４…ばね（付勢手段）。
【図１】
2013233301.tif 000003
【図２】
2013233301.tif 000004
【図３】
2013233301.tif 000005